(57)【要約】【課題】建築物内にある複数の部屋内の気温や湿度の格差を緩和することができ、構造もシンプルな換気システムを提供する。【解決手段】換気システム１００においては、屋外から導入した空気を複数の部屋Ｒ１，Ｒ２，ＤＲ１，ＤＲ２を有する建築物Ｈ１内に供給する給気経路（流路５ａ，５ｂ，６ａ，６ｂ）と、流路５ａ，５ｂの上流側に設けられた給気ファン内蔵の熱交換器１１と、建築物Ｈ１内の空気を屋外へ排出する排気経路（流路２）と、を備えた換気手段に、複数の部屋Ｒ１，Ｒ２，ＤＲ１，ＤＲ２のうちの特定部屋ＤＲ１，ＤＲ２内の空気を吸い込み流路６ａ，６ｂを経由して他の部屋Ｒ１，Ｒ２へ送り込む空気循環手段（循環ファン１０ａ，１０ｂ）を設けている。【選択図】図１
2010032099.tif 000002
【特許請求の範囲】
【請求項１】
屋外から導入した空気を複数の部屋を有する建築物内に供給する給気経路と、前記給気経路に設けられた給気ファンと、前記建築物内の空気を屋外へ排出する排気経路と、を有する換気手段と、
複数の前記部屋のうちの特定部屋内の空気を吸い込み前記給気経路を経由して他の部屋へ送り込む空気循環手段と、を備えたことを特徴とする換気システム。
【請求項２】
前記特定部屋に空調手段を設けた請求項１記載の換気システム。
【請求項３】
前記空気循環手段により前記特定部屋内の空気を吸い込むための吸込口を、前記空調手段から吹き出される調和空気の到達領域に配置した請求項２記載の換気システム。
【請求項４】
前記給気経路を複数設けた請求項１〜３のいずれかに記載の換気システム。
【請求項５】
前記空気循環手段から複数の前記給気経路への流路を切り替える流路切替手段を設けた請求項４記載の換気システム。
【請求項６】
前記建築物内の空気を排出する排気手段を設けた請求項１〜５のいずれかに記載の換気システム。
【請求項７】
屋外から導入され前記給気経路を経由して前記建築物内へ供給される空気と、前記建築物内から前記排気経路を経由して屋外へ排出される空気と、の間において熱交換を行う熱交換手段を設けた請求項１〜６のいずれかに記載の換気システム。
【請求項８】
前記熱交換手段を経由せずに屋外から導入した空気を前記建築物内の部屋へ供給する外気導入経路を設けた請求項７記載の換気システム。
【請求項９】
前記給気経路を経由して供給される空気を前記部屋内へ吹き出すための吹出口を前記給気経路の圧力損失が最小となる場所に設置した請求項１〜８のいずれかに記載の換気システム。
【発明の詳細な説明】
【技術分野】
【０００１】
本発明は、一般住宅などに採用されている２４時間換気システムの改良技術に関する。
【背景技術】
【０００２】
「シックハウス症候群」対策を主旨とする建築基準法の改正により、２００３年７月１日以降に着工する住宅は、化学物質の発散量の少ない建材を使うこと、換気によって室内の化学物質の濃度を低減させることが決められた。このため、換気によって室内の化学物質の濃度を低減させるため、気密性の低い一部の住宅を除き、原則として全ての建築物に機械換気設備（いわゆる、２４時間換気システム）の設置が義務付けられている。
【０００３】
しかしながら、一般住宅において２４時間換気システムにより熱交換換気を実行していても、立地条件や空調状況、および室内に設置された照明や家電などの熱負荷の影響により、部屋ごとの室温のバラツキが発生する。空調したい部屋にルームエアコンなどを設置すればその部屋の空調は行えるが、ルームエアコンなどを設置しない部屋も存在するので部屋ごとの室温のバラツキを解消することはできない。特に、居住者が在室する時間が比較的長くルームエアコンが設置されることが多いリビングルームや寝室と、これら以外の部屋（在室時間が短いのでルームエアコンが設置されないことが多い部屋）との間の室温格差は大きいのが実状である。
【０００４】
そこで、全館空調システムを採用すれば、建物全体を空調することができるが、当該システムを導入するには大がかりな空調設備が必要であるとともに、それを稼働させるのに多大なエネルギが必要である。また、全館空調システムは、空調不要な部屋も空調することになるので、省エネルギの観点からは好ましくない。
【０００５】
一方、トイレや脱衣所などの特定空間については、空調装置が設置されていないことが多いので、冬場は寒く、夏場は暑いという問題がある。このような不都合を解消するために、これらの特定空間に個別の空調装置を設置することはできるが、これらの特定空間は本来比較的狭い場所であるため、設置スペースが確保し難く、施工にも手間がかかる。そこで、空調装置が設置された部屋の調和空気と空調設備のない部屋の空気とを相互に入れ替えることにより複数の部屋を速やかに空調することのできる技術が提案されている（例えば、特許文献１参照。）。
【０００６】
【特許文献１】特開平１１−１４１１８号公報
【発明の開示】
【発明が解決しようとする課題】
【０００７】
特許文献１に記載された「住宅の空調装置」の場合、空気の相互入れ替えを行いたい部屋ごとにダクト及びファンを設置しなければならないので、構造が複雑化しがちであり、設置後のダクト及びファンのメンテナンスにも多大な手間を要する。また、複数のファンを稼働させるのに多くの電気エネルギが消費される。さらに、室内の空気を循環させるだけなので、外気を取り込んで換気を行ったり、空調を行ったりすることもできない。
【０００８】
本発明が解決しようとする課題は、建築物内にある複数の部屋内の気温や湿度の格差を緩和することができ、構造もシンプルな換気システムを提供することにある。
【課題を解決するための手段】
【０００９】
本発明の換気システムは、屋外から導入した空気を複数の部屋を有する建築物内に供給する給気経路と、前記給気経路に設けられた給気ファンと、前記建築物内の空気を屋外へ排出する排気経路と、を有する換気手段と、複数の前記部屋のうちの特定部屋内の空気を吸い込み前記給気経路を経由して他の部屋へ送り込む空気循環手段と、を備えたことを特徴とする。
【００１０】
このような構成とすれば、前記換気手段で建築物内の換気を行いながら、前記空気循環手段により、特定部屋の空気を他の部屋へ送り込むことができるため、建築物内の複数の部屋の室温や湿度の格差を緩和することができる。また、特定部屋内の空気を他の部屋へ送り込む経路として、換気手段の給気経路を利用するので、構造のシンプルな換気システムを構築することができる。また、在室時間が比較的短い部屋に別途空調機などを設けなくても、換気手段に空気循環手段を追加することにより、温度格差を緩和することができる。
【００１１】
ここで、前記特定部屋に空調手段を設ければ、空調手段で空調が行われている特定部屋の調和空気を前記空気循環手段により他の部屋へ送り込むことができる。従って、全ての部屋に空調手段を設けることなく、空調を必要とする他の部屋も空調することができ、各部屋の室温格差を緩和することができる。従って、複数台の空調機あるいは全館空調用の大型空調機を使用する場合に比べ、エネルギ消費を削減することができる。また、前記空気循環手段によって調和空気を循環させるので、空調開始から比較的短時間で各部屋の室温格差を緩和することができる。
【００１２】
この場合、前記空気循環手段により前記特定部屋内の空気を吸い込むための吸込口を、前記空調手段から吹き出される調和空気の到達領域に配置することが望ましい。このような構成とすれば、空調手段からの吹出気流をそのまま吸い込んで他の部屋へ送り込むことができるので、特定部屋と他の部屋の室温格差の緩和に有効である。なお、空調手段から吹き出される調和空気の到達領域としては、例えば、空調手段の吹出口の対向位置にある壁面、前記吹出口から吹き出された調和空気が接触流動する天井面などがある。
【００１３】
また、前記給気経路を複数設ければ、複数の特定部屋の空気をこれら以外の他の部屋へ送り込むことができるので、部屋数の多い建築物や複数階構造の建築物においても各部屋の温度や湿度の格差を緩和することができる。
【００１４】
この場合、前記空気循環手段から複数の前記給気経路への流路を切り替える流路切替手段を設けることができる。このような構成とすれば、流路切替手段で流路を切り替えることにより空気循環手段から供給される空気の供給先となる部屋を変更することができるので、日当たり具合の違いや階位の違いなどに起因する室温格差の大きい部屋同士を連通するように給気経路を設定すれば、これらの部屋間の室温格差の緩和に有効である。従って、建築物の向き、間取りあるいは内部構造の多様性に対応した的確な空調を行うことができる。
【００１５】
また、前記建築物内の空気を排出する排気手段を設ければ、前記排出手段を稼働させることにより、建築物内の気圧増加を緩和し、気圧バランスを調整することができるため、気圧増加などに起因する、給気効率あるいは換気効率の低下を回避することができる。
【００１６】
さらに、屋外から導入され前記給気経路を経由して前記建築物内へ供給される空気と、前記建築物内から前記排気経路を経由して屋外へ排出される空気と、の間において熱交換を行う熱交換手段を設けることもできる。このような構成とすれば、屋外から導入される空気の温度を、建築物内の室温に近づけた状態で建築物内へ供給することができるため、空調エネルギの軽減を図ることができる。
【００１７】
一般に高気密・高断熱の住宅は室内負荷（人間あるいは照明器具、家電製品などの熱を放出する物体）の影響により、居室内に熱が溜まる傾向があるため、熱交換手段を経由して室内温度に近づけた外気を居室内へ供給するよりも、快適温度の外気をそのまま居室内へ供給する方が効率的となる時期がある。そこで、前記熱交換手段を経由せずに屋外から導入した空気を前記建築物内の部屋へ供給する外気導入経路を設けることもできる。このような構成とすれば、１年のうちで、外気が快適温度状態にある中間時期（夏季と冬季との間の時期）などは、屋外から導入した空気を、直接、部屋へ供給することができるので、効率的な空調を行うことができる。
【００１８】
一方、前記給気経路を経由して供給される空気を前記部屋内へ吹き出すための吹出口を前記給気経路の圧力損失が最小となる場所に設置することが望ましい。このような構成とすれば、換気手段を構成する給気ファンの負荷が軽減されるため、換気効率がさらに向上し、換気に要するエネルギを削減することもできる。なお、給気経路の圧力損失が最小となる場所としては、例えば、給気経路が最短となる場所、給気経路の曲げ回数が少なくてすむ場所あるいは曲げ角度が小さくてすむ場所などがある。
【発明の効果】
【００１９】
本発明により、建築物内にある複数の部屋内の気温や湿度の格差を緩和することができ、構造もシンプルな換気システムを提供することができる。
【発明を実施するための最良の形態】
【００２０】
以下、図面に基づいて本発明の実施の形態について説明する。図１は本発明の第１実施形態である換気システムを示す概略構成図、図２は図１に示す換気システムの建築物二階部分における概略構成を示す平面図である。
【００２１】
図１に示すように、本実施形態の換気システム１００は、一階Ｆ１及び二階Ｆ２にそれぞれ複数の部屋Ｒ１，Ｒ２などを備えた建築物Ｈ１内に設けられている。建築物Ｈ１の一階Ｆ１にはリビングルームＤＲ１、複数の部屋Ｒ１及び廊下ｈ１などが設けられ、二階Ｆ２には複数の部屋Ｒ２、寝室ＤＲ２及び廊下ｈ２などが設けられている。直接空調室であるリビングルームＤＲ１及び寝室ＤＲ２にはそれぞれルームエアコン１９ｂ，１９ａが設置されている。
【００２２】
建築物Ｈ１の小屋裏３には、送風ファン（図示せず）を内蔵した全熱交換器１１、循環ファン１０ａ、分岐ボックス１２ａなどが設置され、二階Ｆ２の各部屋Ｒ２の天井にはそれぞれ吹出口１７ａが設けられ、寝室ＤＲ２の天井には吹出口１７ａ及び吸込口１８ａが設けられ、廊下ｈ２の天井にはフィルタボックス（集中排気口）１４が設置されている。一階Ｆ１と二階Ｆ２との間の空間には、循環ファン１０ｂ、分岐ボックス１２ｂなどが配置され、一階Ｆ１の各部屋Ｒ１の天井にはそれぞれ吹出口１７ｂが設けられ、リビングルームＤＲ１の天井には吹出口１７ｂ及び吸込口１８ｂが設けられている。建築物Ｈ１の外壁上方には、当該建築物Ｈ１内の空気を排出するための排気口１５と、屋外の空気を建築物Ｈ１内へ導入するための給気口１６が設けられている。
【００２３】
一階Ｆ１のリビングルームＤＲ１内には循環用スイッチＳ１が配置され、二階Ｆ２の廊下ｈ２には換気用スイッチＳ２が配置されている。循環用スイッチＳ１は循環ファン１０ａ，１０ｂをＯＮ・ＯＦＦするためのものであり、換気用スイッチＳ２は全熱交換器１１内の送風ファン（図示せず）をＯＮ・ＯＦＦするためのものである。なお、本実施形態では、循環用スイッチＳ１及び換気用スイッチＳ２を個別に設けているが、これらを一体化したスイッチを設けることもできる。
【００２４】
循環用スイッチＳ１がＯＦＦの状態で換気用スイッチＳ２をＯＮすると、全熱交換器１１内の送風ファンが作動し、給気口１６から吸い込まれた屋外の空気が流路１を経由して全熱交換器１１内へ導入される。これと並行して、廊下ｈ２側に開口するフィルタボックス１４から吸い込まれた建築物Ｈ１内の空気が流路２を経由して全熱交換器１１内へ導入される。導入された屋外の空気（以下、「外気」という。）と建築物Ｈ１内の空気とは全熱交換器１１内の熱交換エレメントによって熱交換が行われ、熱交換後の外気は流路５ａへ流出して各部屋へ供給され、熱交換後の建築物Ｈ１内の空気は流路４へ流出し、排気口１５から屋外へ放出される。
【００２５】
全熱交換器１１から流路５ａへ流出した外気は、分岐部４０において、流路５ａと流路５ｂとに分流される。分岐部４０から二階Ｆ２側の流路５ａへ流入した外気は分岐ボックス１２ａにて三つに分流され、それぞれの流路６ａへ流入し、各部屋Ｒ２及び寝室ＤＲ２の天井に設けられた吹出口１７ａから各室内へ吹き出される。なお、流路５ａから分岐ボックス１２ａへ向かって移動する外気が流路８ａを通って換気ファン１０ａへ逆流するのを防止するため、流路８ａに逆流防止ダンパ１３ａが設けられている。
【００２６】
また、分岐部４０から流路５ｂへ流入した外気は一階Ｆ１側の分岐ボックス１２ｂにおいて分流されてそれぞれ三本の流路６ｂへ流入し、各部屋Ｒ１及びリビングルームＤＲ１の天井に設けられた吹出口１７ｂからそれぞれの室内へ吹き出される。さらに、前述と同様、流路５ｂから分岐ボックス１２ｂへ向かって移動する外気が流路８ｂを通って換気ファン１０ｂへ逆流するのを防止するため、流路８ｂに逆流防止ダンパ１３ｂが設けられている。
【００２７】
一方、吹出口１７ａ，１７ｂから部屋Ｒ１，Ｒ２、リビングルームＤＲ１及び寝室ＤＲ２へ外気が送り込まれることにより、部屋Ｒ１，Ｒ２などの内部の空気は各部屋の出入口付近などに設けられた通気口（図示せず）を通過して廊下ｈ１，ｈ２へ流出し、廊下ｈ２の天井にあるフィルタボックス１４に吸い込まれ、前述したように、流路２、全熱交換器１１及び流路４を通過した後、排気口１５から屋外へ放出される。
【００２８】
このように、循環用スイッチＳ１をＯＦＦにした状態で、換気用スイッチＳ２をＯＮして全熱交換器１１内の送風ファンを作動させると、給気口１６から導入された外気が建築物Ｈ１内の複数の部屋Ｒ１，Ｒ２などの内部へ供給されるとともに、建築物Ｈ１内の空気を排気口１５から屋外へ排出することができる。従って、２４時間換気システムとしての作用効果を得ることができる。また、屋外から導入され流路１，５ａなどを経由して建築物Ｈ１内へ供給される空気と、建築物Ｈ１内から流路２，４を経由して屋外へ排出される空気と、の間での熱交換が熱交換器１１において行われる。これにより、屋外から導入される空気の温度を、建築物Ｈ１内の室温に近づけた状態で建築物Ｈ１内へ供給することができるため、空調エネルギの軽減を図ることができる。
【００２９】
一方、換気用スイッチＳ２をＯＮした状態で循環用スイッチＳ１をＯＮすると、循環ファン１０ａ，１０ｂが作動し、一階Ｆ１のリビングルームＤＲ１内の空気が吸込口１８ｂから吸い込まれ、二階Ｆ２の寝室ＤＲ２内の空気が吸込口１８ａから吸い込まれる。吸込口１８ｂから流路７ｂ内へ吸い込まれた空気は循環ファン１０ｂを通過して流路８ｂへ流入し、その下流側において、流路５ｂを通ってきた外気と合流して分岐ボックス１２ｂへ流入した後、三本の流路６ｂに分かれ、それぞれの吹出口１７ｂから一階Ｆ１側の部屋Ｒ１及びリビングルームＤＲ１へ供給される。
【００３０】
一方、吸込口１８ａから流路７ａ内へ吸い込まれた空気は循環ファン１０ａを通過して流路８ａへ流入し、その下流側にて、流路５ａを通ってきた外気と合流して分岐ボックス１２ａへ流入した後、三本の流路６ａに分かれ、それぞれの吹出口１７ａから二階Ｆ２側の部屋Ｒ２及び寝室ＤＲ２へ供給される。
【００３１】
このように、循環ファン１０ａ，１０ｂを作動させることにより、特定部屋であるリビングルームＤＲ１、寝室ＤＲ２の空気をそれぞれ他の部屋Ｒ１，Ｒ２及びリビングルームＤＲ１、寝室ＤＲ２へ送り込むことができるため、建築物Ｈ１内にある複数の部屋の室温や湿度の格差を緩和することができる。また、特定部屋（リビングルームＤＲ１、寝室ＤＲ２）内の空気を他の部屋Ｒ１，Ｒ２へ送り込む経路として２４時間換気システムの給気経路（流路５ａ，６ａ，５ｂ，６ｂ）を利用するので、構造の複雑化を回避することができる。また、在室時間が比較的短い部屋Ｒ１，Ｒ２に空調機などを別途設けなくても、２４時間換気システムなどの換気手段に空気循環手段（循環ファン１０ａ，１０ｂ）などを追加しただけの比較的シンプルな構造でありながら、各部屋の室温格差の緩和を図ることができる。
【００３２】
また、図１に示すように、特定部屋（リビングルームＤＲ１、寝室ＤＲ２）にはそれぞれ空調手段であるルームエアコン１９ｂ，１９ａを設けているため、ルームエアコン１９ｂ，１９ａで空調が行われているリビングルームＤＲ１、寝室ＤＲ２の調和空気を循環ファン１０ａ，１０ｂにより他の部屋Ｒ１，Ｒ２へ送り込むことができる。従って、全ての部屋Ｒ１，Ｒ２に空調手段を設けることなく、空調を必要とする他の部屋Ｒ１，Ｒ２も空調することができ、各部屋間の室温格差を緩和することができる。また、循環ファン１０ａ，１０ｂによって調和空気を循環させるので、空調開始から比較的短時間のうちに、特定部屋（リビングルームＤＲ１、寝室ＤＲ２）と各部屋Ｒ１，Ｒ２との室温格差を緩和することができる。
【００３３】
また、複数の循環ファン１０ｂ，１０ａをそれぞれ一階Ｆ１及び二階Ｆ２に配置したことにより、複数の特定部屋（リビングルームＤＲ１、寝室ＤＲ２）の空気を他の部屋に対して送り込むことができるので、二階建てで複数の部屋を有する建築物Ｈ１内の温度や湿度の格差を緩和するのに好適である。
【００３４】
さらに、本実施形態では、図１，図２に示すように、建築物Ｈ１の二階Ｆ２において、寝室ＤＲ２内の空気を吸い込むための吸込口１８ａを、ルームエアコン１９ａから吹き出される調和空気の到達領域ＣＺである天井面Ｃに配置している。このような構成としたことにより、ルームエアコン１９ａからの吹出気流の一部を、そのまま吸込口１８ａから吸い込んで他の部屋Ｒ２へ送り込むことができるため、特定部屋である寝室ＤＲ２と他の部屋Ｒ２の室温格差の緩和に有効である。なお、建築物Ｈ１の一階Ｆ１の吸込口１８ｂ及び吹出口１７ｂの配置も同様の構成としている。
【００３５】
また、給気経路（流路６ａ）を経由して供給される空気を部屋Ｒ２，寝室ＤＲ２内へ吹き出すための吹出口１７ａを、流路６ａの圧力損失が最小となる場所、即ち、流路６ａが最短となる場所に設置している。このような構成とすれば、全熱交換器１１内の送風ファンの負荷が軽減されるため、換気効率がさらに向上し、換気に要するエネルギを削減することもできる。なお、建築物Ｈ１の一階Ｆ１の吸込口１８ｂ及び吹出口１７ｂも前述と同様の配置としている。
【００３６】
一方、建築物の構造や間取りによっては、給気経路の長さを最短にすることができない場合もあるが、給気経路を設置するときに、給気経路の曲げ回数が少ない位置を選択すれば、給気経路の曲がり部による圧力損失の増大を抑制することができ、効率の良い換気を実現することができる。なお、圧力損失の増大は給気経路の長さや曲げ回数だけでなく、給気経路の曲げ角度にも起因するので、給気経路が最短であって曲げ回数が多かったり、曲げ角度が大きかったりする場合と、給気経路は最短でないがほぼ直線状に設置される場合と、を比較すると、後者の方が圧力損失が低いことがあるので、施工現場の状況に応じて選択できるようにしておくことが望ましい。また、給気経路内の圧力損失は、給気経路の曲げ角度、曲げ回数及び給気経路長さの影響を受けるので、給気経路が最短であっても、曲げ角度が急であったり、曲げ回数が多かったりすると、曲げが緩やかで給気経路の長さが長い場合よりも、圧力損失が高くなることがある。従って、施工現場の状況を考慮して、圧力損失が最小となるように給気経路を設置する必要がある。
【００３７】
次に、図３〜図７に基づいて本発明のその他の実施形態について説明する。なお、図３〜図７において図１，図２と同符号を付している部分は、前述した換気システム１００の構成部分と同じ構造、機能を有する部分であるため、説明を省略する。
【００３８】
図３は本発明の第２実施形態である換気システムを示す概略構成図である。図３に示すように、建築物Ｈ２に設けられた換気システム２００においては、一階Ｆ１のリビングルームＤＲ１天井の吸込口１８ｂと二階Ｆ２側の循環ファン１０ａとが流路７ｂで連結され、二階Ｆ２の寝室ＤＲ２天井の吸込口１８ａと一階Ｆ１側の循環ファン１０ｂとが流路７ａで連結されている。
【００３９】
前記構成において、循環ファン１０ａ，１０ｂを作動させると、一階Ｆ１のリビングルームＤＲ１内の空気が流路７ｂ，８ａ，６ａを経由して外気とともに二階Ｆ２の部屋Ｒ２及び寝室ＤＲ２へ供給され、二階Ｆ２の寝室ＤＲ２内の空気が流路７ａ，８ｂ，６ｂを経由して外気とともに一階Ｆ１の部屋Ｒ１及びリビングルームＤＲ１へ供給される。
【００４０】
このように、一階Ｆ１のリビングルームＤＲ１内の空気を二階Ｆ２の複数の部屋Ｒ２などへ送り込むとともに、二階Ｆ２の寝室ＤＲ２内の空気を一階Ｆ１の複数の部屋Ｒ１などへ送り込むことができるため、建築物Ｈ２内における一階Ｆ１側と二階Ｆ２側との間の室温や湿度の格差を緩和することができる。通常、一階Ｆ１の室温より二階Ｆ２の室温の方が高いので、夏場であれば二階Ｆ２を涼しく、冬場であれば一階Ｆ１を暖かくしながら室温格差を緩和することができる。
【００４１】
図４は本発明の第３実施形態である換気システムを示す概略構成図、図５は図４に示す換気システムを別の循環モードに切り替えたときの概略構成図である。図４に示すように、建築物Ｈ３に設けられた換気システム３００においては、一階Ｆ１のリビングルームＤＲ１天井の吸込口１８ｂと一階Ｆ１側の循環ファン１０ｂとを連結する流路７ｂの途中に分岐部４１が設けられ、この分岐部４１と二階Ｆ２の循環ファン１０ａとが流路７ｃで連結されている。また、二階Ｆ２の寝室ＤＲ２天井の吸込口１８ａと二階Ｆ２側の循環ファン１０ａとを連結する流路７ａの途中に分岐部４２が設けられ、この分岐部４２と一階の循環ファン１０ｂとが流路７ｄで連結されている。
【００４２】
また、流路７ｂ，７ｄの循環ファン１０ｂ寄りの部分にそれぞれ開閉ダンパ２０ａ，２０ｂが設けられ、流路７ｃ，７ａの循環ファン１０ａ寄りの部分に開閉ダンパ２０ｃ，２０ｄが設けられている。図３に示す循環モードの場合、開閉ダンパ２０ａ，２０ｄが開放され、開閉ダンパ２０ｂ，２０ｃが閉止されている。この状態で、循環ファン１０ａ，１０ｂを作動させると、一階Ｆ１のリビングルームＤＲ１内の空気が吸込口１８ｂから吸い込まれ、二階Ｆ２の寝室ＤＲ２内の空気が吸込口１８ａから吸い込まれる。
【００４３】
循環ファン１０ａ寄りの流路７ｃの開閉ダンパ２０ｃが閉止されていることにより、吸込口１８ｂから流路７ｂ内へ吸い込まれた空気は、分岐部４１で流路７ｃへ流入することなく、循環ファン１０ｂを通過して流路８ｂへ流入し、その下流側にて、流路５ｂを通ってきた外気と合流して分岐ボックス１２ｂへ流入した後、三本の流路６ｂに分かれ、それぞれの吹出口１７ｂから一階Ｆ１の部屋Ｒ１及びリビングルームＤＲ１へ供給される。
【００４４】
一方、循環ファン１０ｂ寄りの流路７ｄの開閉ダンパ２０ｂが閉止されていることにより、吸込口１８ａから流路７ａ内へ吸い込まれた空気は、分岐部４２にて流路７ｄへ流入することなく、循環ファン１０ａを通過して流路８ａへ流入し、その下流側にて、流路５ａを通ってきた外気と合流して分岐ボックス１２ａへ流入した後、三本の流路６ａに分かれ、それぞれの吹出口１７ａから二階Ｆ２の部屋Ｒ２及び寝室ＤＲ２へ供給される。
【００４５】
このように開閉ダンパ２０ａ，２０ｄを開放し、開閉ダンパ２０ｂ，２０ｃを閉止した状態で循環ファン１０ａ，１０ｂを作動させると、リビングルームＤＲ１の空気を部屋Ｒ１及びリビングルームＤＲ１へ送り込み、寝室ＤＲ２の空気を部屋Ｒ２及び寝室ＤＲ２へ送り込むことができるため、建築物Ｈ１内の一階Ｆ１と二階Ｆ２とをそれぞれ独立した状態で空気循環させることができる。従って、建築物Ｈ３内にある複数の部屋の室温や湿度の格差を各階ごとに緩和することができる。
【００４６】
次に、図５に示す循環モードの場合、開閉ダンパ２０ａ，２０ｄが閉止され、開閉ダンパ２０ｂ，２０ｃが開放されている。この状態で、循環ファン１０ａ，１０ｂを作動させると、一階Ｆ１のリビングルームＤＲ１内の空気が吸込口１８ｂから吸い込まれ、二階Ｆ２の寝室ＤＲ２内の空気が吸込口１８ａから吸い込まれる。
【００４７】
循環ファン１０ｂ寄りの流路７ｂの開閉ダンパ２０ａが閉止されていることにより、吸込口１８ｂから流路７ｂ内へ吸い込まれた空気は、分岐部４１で流路７ｃへ流入し、循環ファン１０ａを通過して流路８ａへ流入し、その下流側にて、流路５ａを通ってきた外気と合流して分岐ボックス１２ａへ流入した後、三本の流路６ａに分かれ、それぞれの吹出口１７ａから二階Ｆ２の部屋Ｒ２及び寝室ＤＲ２へ供給される。
【００４８】
一方、循環ファン１０ａ寄りの流路７ａの開閉ダンパ２０ｄが閉止されていることにより、吸込口１８ａから流路７ａ内へ吸い込まれた空気は、分岐部４２にて流路７ｄへ流入し、循環ファン１０ｂを通過して流路８ｂへ流入し、その下流側にて、流路５ｂを通ってきた外気と合流して分岐ボックス１２ｂへ流入した後、三本の流路６ｂに分かれ、それぞれの吹出口１７ａから一階Ｆ１の部屋Ｒ１及びリビングルームＤＲ１へ供給される。
【００４９】
図５に示す循環モードの場合、一階Ｆ１のリビングルームＤＲ１内の空気を二階Ｆ２の複数の部屋Ｒ２などへ送り込むとともに、二階Ｆ２の寝室ＤＲ２内の空気を一階Ｆ１の複数の部屋Ｒ１などへ送り込むことができるため、建築物Ｈ３内における一階Ｆ１側と二階Ｆ２側との間の室温や湿度の格差を緩和することができる。
【００５０】
このように、換気システム３００においては、開閉ダンパ２０ａ，２０ｄ及び開閉ダンパ２０ｂ，２０ｃをそれぞれ開閉して循環モードを切り替えることにより、空気の供給先となる部屋を変更することができるので、階位の違いなどに起因する室温格差の大きい部屋同士を連通するように空気の供給経路を設定すれば、これらの部屋間の室温格差を緩和することができる。建築物Ｈ３の向き、間取りあるいは内部構造の多様性に的確に対応した空調を行うことができる。
【００５１】
なお、開閉ダンパ２０ａ〜２０ｄの代わりに、分岐部４１，４２にそれぞれ切替ダンパ（図示せず）を設け、各切替ダンパを全開、全閉、中間開度に制御する構成とすることもできる。このような構成とすれば、各切替ダンパを全開、全閉とすることにより一階Ｆ１または二階Ｆ２のどちらかの循環ファン１０ｂ，１０ａに接続し、各切替ダンパを中間開度とすることにより一階Ｆ１、二階Ｆ２の循環ファン１０ｂ，１０ａへ供給する空気量を調節することができる。
【００５２】
即ち、一階Ｆ１と二階Ｆ２の室温格差が大きいときは、一階Ｆ１のリビングルームＤＲ１の空気を二階Ｆ２側へ送り込むともに、二階Ｆ２の寝室ＤＲ２の空気を一階Ｆ１側へ送り込むことができ、前記室温格差が小さいときは、一階Ｆ１のリビングルームＤＲ１の空気を一階Ｆ１側へ送り込むとともに、二階Ｆ２の寝室ＤＲ２の空気を２階側に送り込むことができる。また、前述の中間であれば、それぞれの切替ダンパの開度を調整することにより、一階Ｆ１、二階Ｆ２の空気を分配して送り込むことができる。従って、さらにきめ細かな換気、空気循環を行うことが可能となる。
【００５３】
図６は本発明の第４実施形態である換気システムを示す概略構成図である。図６に示すように、建築物Ｈ４に設けられた換気システム４００においては、二階Ｆ２の中央の部屋Ｒ２の天井に設けられた吸込口１８ｃから吸い込んだ室内の空気を排気口２２から排出するため、小屋裏空間に流路３１、送風ファン２１及び流路３２が設けられている。二階Ｆ２側の給気口２３と開閉ダンパ２０ｄとを連結する流路３３と、一階Ｆ１側の給気口２４と開閉ダンパ２０ａとを連結する流路３３と、が設けられている。
【００５４】
排気手段である送風ファン２１を作動させて、二階Ｆ２の中央の部屋Ｒ２内の空気を排気口２２から屋外へ排出することにより当該部屋Ｒ２内の気圧増加を緩和することができるため、循環ファン１０ａから当該部屋Ｒ２に対する給気効率の低下を回避することができる。
【００５５】
また、循環ファン１０ａ，１０ｂが作動しているとき、開閉ダンパ２０ｄ，２０ｃを操作することにより、流路３３，３４から導入された外気を、熱交換器１１を経由することなく、それぞれ流路７ａ，７ｂへ流入させることができる。従って、外気が快適な温度状態にある中間時期（夏季と冬季との間の時期）などは、屋外から導入した空気を、直接、部屋Ｒ１，Ｒ２、リビングルームＤＲ１及び寝室ＤＲ２へ供給することができるので、効率的な空調を行うことができる。なお、開閉ダンパ２０ｄ，２０ｃの開度を調節することにより、流路７ａ，７ｂを経由してくる室内空気に混入させる外気の量を変化させることができるが、流路７ａ，７ｂ経由の室内空気を止めて外気のみを循環ファン１０ａ，１０ｂに導入することもできる。
【００５６】
図７は本発明の第５実施形態である換気システムを示す概略構成図である。図７に示すように、建築物Ｈ５に設けられた換気システム５００においては、二階Ｆ２側の給気口２３に接続された流路３３が合流部４４において流路７ａに接続され、一階Ｆ１側の給気口２４に接続された流路３４が合流部４３において流路７ｂに接続されている。
【００５７】
循環ファン１０ａ，１０ｂが作動しているとき、流路３３，３４から導入された外気を、熱交換器１１を経由することなく、それぞれ流路７ａ，７ｂへ流入させることができるため、外気が快適な温度状態にある中間時期（夏季と冬季との間の時期）などは、屋外から導入した空気を、直接、部屋Ｒ１，Ｒ２、リビングルームＤＲ１及び寝室ＤＲ２へ供給することができるので、効率的な空調を行うことができる。
【００５８】
なお、全熱交換が不要な場合、熱交換器１１を省略し、循環ファン、排気ファンのみの構成とすることもできる（但し、循環用の吸込口１８ａ，１８ｂは残す。）。このような構成とすれば、２４時間換気はもちろん、外気冷房による中間期の空調を行うことが可能となり、中間期以外の時期においては一階Ｆ１、二階Ｆ２の空気を入れ替えることによって温度格差を緩和することができる。この場合、循環ファンと排気ファンとは別体としたり、一体としたりすることができる。
【産業上の利用可能性】
【００５９】
本発明の換気システムは、一般住宅の空調設備として広く利用することができる。
【図面の簡単な説明】
【００６０】
【図１】本発明の第１実施形態である換気システムを示す概略構成図である。
【図２】図１に示す換気システムの建築物二階部分における概略構成を示す平面図である。
【図３】本発明の第２実施形態である換気システムを示す概略構成図である。
【図４】本発明の第３実施形態である換気システムを示す概略構成図である。
【図５】図４に示す換気システムを別の循環モードに切り替えたときの概略構成図である。
【図６】本発明の第４実施形態である換気システムを示す概略構成図である。
【図７】本発明の第５実施形態である換気システムを示す概略構成図である。
【符号の説明】
【００６１】
１，２，４，５ａ，５ｂ，６ａ，６ｂ，７ａ，７ｂ，７ｃ，７ｄ，８ａ，８ｂ，３１，３２，３３，３４  流路
３  小屋裏
１０ａ，１０ｂ  循環ファン
１１  全熱交換器
１２ａ，１２ｂ  分岐ボックス
１３ａ，１３ｂ  逆流防止ダンパ
１４  フィルタボックス
１５，２２  排気口
１６，２３，２４  給気口
１７ａ，１７ｂ  吹出口
１８ａ，１８ｂ，１８ｃ  吸込口
１９ａ，１９ｂ  ルームエアコン
２０ａ，２０ｂ，２０ｃ，２０ｄ  開閉ダンパ
２１  送風ファン
４０，４１，４２  分岐部
４３，４４  合流部
１００，２００，３００，４００，５００  換気システム
ＤＲ１  リビングルーム
ＤＲ２  寝室
Ｆ１  一階
Ｆ２  二階
ｈ１，ｈ２  廊下
Ｒ１，Ｒ２  部屋
Ｓ１  循環用スイッチ
Ｓ２  換気用スイッチ
Ｈ１，Ｈ２，Ｈ３，Ｈ４，Ｈ５  建築物
【図１】
2010032099.tif 000003
【図２】
2010032099.tif 000004
【図３】
2010032099.tif 000005
【図４】
2010032099.tif 000006
【図５】
2010032099.tif 000007
【図６】
2010032099.tif 000008
【図７】
2010032099.tif 000009